(57)【要約】【課題】ガラスのダブルスキンファサードに関して、温熱性能という視点ではなく、耐風圧設計という観点から、外部スキン及び内部スキンに加わる風圧を制御可能なダブルスキンファサード構造を提供する。【解決手段】建築物の外周の少なくとも一面に配設された外部スキン２と、この外部スキン２の室内側に中空層４を介して対向配設された内部スキン３とを備えてなるダブルスキンファサード構造において、中空層４は、建物高さ方向に連続した空間であり、中空層４の両側側端部、下部、及び外部スキン面上層部に外気導入または排気のための開口を形成する。【選択図】図１
2005330762.tif 000002
【特許請求の範囲】
【請求項１】
建築物の外周の少なくとも一面に配設された外部スキンと、この外部スキンの室内側に中空層を介して対向配設された内部スキンとを備えてなるダブルスキンファサード構造であって、
前記中空層は、建物高さ方向に連続した空間であり、この中空層の両側側端部、下部、及び外部スキン面上層部に外気導入または排気のための開口が形成されていることを特徴とするガラスのダブルスキンファサード構造。
【請求項２】
建築物の外周の少なくとも一面に配設された外部スキンと、この外部スキンの室内側に中空層を介して対向配設された内部スキンとを備えてなるダブルスキンファサード構造であって、
前記中空層は、建物高さ方向に連続した空間で、建築物の屋根面より突出した高さを有する構造で構成され、この中空層の下部、及び屋根面より突出した空間の屋根面側に外気導入または排気のための開口が形成されていることを特徴とするガラスのダブルスキンファサード構造。
【請求項３】
建築物の外周の少なくとも一面に配設された外部スキンと、この外部スキンの室内側に中空層を介して対向配設された内部スキンとからなるダブルスキン部を備えたダブルスキンファサード構造であって、
前記ダブルスキン部は建築物下部の一定高さ以上に設置され、前記ダブルスキン部のない建築物下部では、外部スキンの位置まで外壁が突出して、ダブルスキン部とほぼ同一面を形成して構成され、
ダブルスキン部の前記中空層は、建物高さ方向に連続した空間であり、
中空層の両側側端部、外部スキン面下部、及び外部スキン面上層部に外気導入または排気のための開口が形成されていることを特徴とするガラスのダブルスキンファサード構造。
【請求項４】
建築物の外周の少なくとも一面に配設された外部スキンと、この外部スキンの室内側に中空層を介して対向配設された内部スキンとを備えてなるダブルスキンファサードであって、
前記中空層は、建物高さ方向に連続した空間であり、この中空層の両側側端部、下部、及び外部スキン面上層部に外気導入または排気のための開口が形成されるとともに、外部スキンと内部スキンとの間隔が中空層下部では上部に対して大きく形成されていることを特徴とするガラスのダブルスキンファサード構造。
【発明の詳細な説明】
【技術分野】
【０００１】
本発明はダブルスキンファサード構造に係り、特にガラスを用いたダブルスキンファサード構造の耐風圧設計技術に関する。
【背景技術】
【０００２】
従来から建築物の外壁部や窓部などを二重構造としたダブルスキンに関する研究が行われている。特に、日本より寒冷地であるヨーロッパで発達したダブルスキンファサードは、その温熱性能を中心に開発が行われてきている。
【０００３】
ダブルスキンファサードを構成する屋外側と室内側の各ガラス製スキン間の空間（以下、「キャビティ」と称する）が、建築物の高さ方向で空気の流れを遮ることなく１つの空間として構成されるダブルスキン構造（以下、「全層換気型ダブルスキン」と称する）は、一般的に室内側の内部スキンに高断熱複層ガラスを用い、屋外側の外部スキンに換気口を設け、キャビティ内にブラインドなどの日射遮蔽手段を設置した構成とすることが多い。
【０００４】
これは、ガラスを用いたシングルスキン構造では夏暑いが、日射遮蔽手段を有するダブルスキン構造とすることで、夏の冷房負荷を軽減できるためである。キャビティ内のブラインドにより、日射熱の室内への侵入を遮り、その熱を換気口から外部へ排除することで、その効果が現れている（例えば、特許文献１参照）。特許文献１で見られるように、従来の技術は、ダブルスキンファサードの温熱性能に関する内容が中心となっていた。
【特許文献１】特開２００１−２５３７３４号公報
【発明の開示】
【発明が解決しようとする課題】
【０００５】
しかしながら、従来のダブルスキンファサード構造においては、特許文献１で見られるように温熱性能に関する検討が中心になされているのみであり、風荷重に対する各スキンの負荷分担率などが不明であった。このため、従来の耐風圧設計の方法では、屋外側と室内側の各スキンのそれぞれが設計風圧を単独で負担できる強固な構成としなければならず、各スキンは通常のシングルスキン構造の外壁を２重に建設するような費用を要していた。
【０００６】
本発明は、従来技術が有する欠点を解消するために、前述の温熱性能という視点ではなく、耐風圧設計という観点から、２枚のガラス製スキンに加わる風圧力を制御することができるダブルスキンファサード構造を提供することを目的とする。
【課題を解決するための手段】
【０００７】
請求項１に記載の発明は、前記目的を達成するために、建築物の外周の少なくとも一面に配設された外部スキンと、この外部スキンの室内側に中空層を介して対向配設された内部スキンとを備えてなるダブルスキンファサード構造であって、前記中空層は、建物高さ方向に連続した空間であり、この中空層の両側側端部、下部、及び外部スキン面上層部に外気導入または排気のための開口が形成されていることを特徴とするガラスのダブルスキンファサード構造を提供する。
【０００８】
また、請求項２に記載の本発明は、前記目的を達成するために、建築物の外周の少なくとも一面に配設された外部スキンと、この外部スキンの室内側に中空層を介して対向配設された内部スキンとを備えてなるダブルスキンファサード構造であって、前記中空層は、建物高さ方向に連続した空間で、建築物の屋根面より突出した高さを有する構造で構成され、この中空層の下部、及び屋根面より突出した空間の屋根面側に外気導入または排気のための開口が形成されていることを特徴とするガラスのダブルスキンファサード構造を提供する。
【０００９】
さらに、請求項３に記載の本発明は、前記目的を達成するために、建築物の外周の少なくとも一面に配設された外部スキンと、この外部スキンの室内側に中空層を介して対向配設された内部スキンとからなるダブルスキン部を備えたダブルスキンファサード構造であって、前記ダブルスキン部は建築物下部の一定高さ以上に設置され、前記ダブルスキン部のない建築物下部では、外部スキンの位置まで外壁が突出して、ダブルスキン部とほぼ同一面を形成して構成され、ダブルスキン部の前記中空層は、建物高さ方向に連続した空間であり、中空層の両側側端部、外部スキン面下部、及び外部スキン面上層部に外気導入または排気のための開口が形成されていることを特徴とするガラスのダブルスキンファサード構造を提供する。
【００１０】
さらにまた、請求項４に記載の本発明は、前記目的を達成するために、建築物の外周の少なくとも一面に配設された外部スキンと、この外部スキンの室内側に中空層を介して対向配設された内部スキンとを備えてなるダブルスキンファサードであって、前記中空層は、建物高さ方向に連続した空間であり、この中空層の両側側端部、下部、及び外部スキン面上層部に外気導入または排気のための開口が形成されるとともに、外部スキンと内部スキンとの間隔が中空層下部では上部に対して大きく形成されていることを特徴とするガラスのダブルスキンファサード構造を提供する。
【００１１】
請求項１〜４の発明のダブルスキンファサード構造を適用することによって、合理的な耐風圧設計が可能となり、安全性を確保しながら、２枚のスキンに加わる風圧力の軽減を図り、ガラスの板厚を薄くして経済的な効果をもたらすことができる。具体的には、外部スキンのガラスの板厚を従来のダブルスキン構造の場合やシングルスキン構造の場合の板厚より薄くできる。なお、本明細書において「スキン」とは、一枚または複数枚のガラスを面一に配置して構成される壁面や窓を意味している。
【発明の効果】
【００１２】
本発明に係るダブルスキンファサード構造によれば、合理的な耐風圧設計が可能となり、安全性を確保しながら、各スキン、あるいはどちらか一方のスキンに加わる風圧力を軽減することができる。ガラスの板厚やサイズ、支持方法は、風圧力に応じて設計されるため、風圧力が軽減すれば、それだけ軽微な構成が可能となり、結果的に経済性が向上するという効果が得られる。
【発明を実施するための最良の形態】
【００１３】
以下、添付図面に従って本発明に係るダブルスキンファサード構造の好ましい実施の形態について詳説する。
【００１４】
図１は本発明の請求項１のダブルスキンファサード構造に相当する基本的な構成例を示す斜視図、図２は本発明の請求項２のダブルスキンファサード構造に相当する基本的な構成例を示す斜視図、図３は本発明の請求項３のダブルスキンファサード構造に相当する基本的な構成例を示す斜視図、図４は本発明の請求項４のダブルスキンファサード構造に相当する基本的な構成例を示す斜視図がそれぞれ示されている。
【００１５】
図１〜図４のダブルスキンファサード構造は、建築物１の１つの面（正面）に外部スキン２と外部スキン２の室内側に配置される内部スキン３とによって構成されるダブルスキン部を有し、外部スキン２と内部スキン３との間のキャビティ４が建物高さ方向に連続している全層換気型のダブルスキン建築である。一般的に、内部スキン３を建物の内部空間の外壁ラインとするため、内部スキン３には複層ガラス、または高断熱遮熱複層ガラス（Low-E （低放射）複層ガラス）が用いられている。外部スキン２は、サッシ部材による支持やＤＰＧ（ドット・ポイント・グレージング）構法などのフレームレス構法による支持、または隣りあうガラス同士の目地部に設けるリブガラスによる支持などが用いられる。フレームレス構法の場合は、合わせガラスや強化合わせガラスが使用される。さらに、外部スキン２は、サッシ部材に組み込まれた開閉式の開口、またはＤＰＧ構法などで支持される各ガラス間の目地部にシーリング材を充填しない空目地などを設け、スキンの面の中に複数の開口部が形成される場合もある（図示なし）。キャビティ４は、前述の通り、建物高さ方向に連続した空気の流れを遮らない空間であるが、各階にメンテナンス用の足場となるキャットウォーク８が設置されている。外部スキン２をリブガラスによって支持した場合には、キャットウォーク８上でのメンテナンス時の妨げとならないように、リブガラスのキャビティ４側への突出量を設定する必要がある。
【００１６】
本発明のダブルスキンファサード構造により、ガラスの板厚を薄くして経済性を向上させる効果を得るためには、ダブルスキン部の上下左右の開口部の開閉状態の組み合わせが重要である。
【００１７】
図１では、キャビティ４の側端部および下部が開放され、これらの部分に側端部開口５、５下部開口７が設けられている。図１では、側端部開口５、５に、ふさぎ材を全く図示していないが、例えばガラス板によってふさぎ材を構成し、このふさぎ材の一部に開口を形成したものを適用してもよい。さらに、上部については、外部スキン面上に上部開口６を有している。これらの開口５、６、７は、サッシ部材に一体に形成してもよい。また、これらの開口５、６、７にガラスルーバーなどの開閉機構を取り付けて、開口面積を可変としてもよい。
【００１８】
図２におけるダブルスキンファサード構造の形状は、キャビティ４の上部が建築物１の屋根面から上方に突出した形状であり、キャビティ４は、突出部１０の屋根面側に配置された上部開口６と、下部開口７を有する。一方、キャビティ４の側端部１２、１２はガラス、またはパネルなどのふさぎ材９、９により閉じられていて、気密状態に保たれている。上下の開口６、７は、図１の場合と同様、サッシ部材と一体に形成してもよい。また、これらの開口６、７にガラスルーバーなどの開閉機構を取り付けて、開口面積を可変としてもよい。さらに、下部開口７には、防虫網のような細かい網状のふさぎ材（図示なし）を設置することも耐風圧設計上において有利となる。
【００１９】
図３における建築物１の形状は、ダブルスキン部の下方部１１において外壁が外部スキン２の位置まで突出した形状であり、ダブルスキン面部（外部スキン面）と外壁とが建物全体にわたり、ほぼ面一になっている。キャビティ４の開口は図１と同様に開口５、６、７を有し、下部開口７についても外部スキン面上に配設される。側端部開口５、５および上下の開口６、７は、図１の場合と同様である。
【００２０】
図４におけるダブルスキンファサード構造の形状は、図１の形態とほぼ同じであるが、図１に対して外部スキン２の下層部において、外部スキン２と内部スキン３の間隔が上層部よりも大きくなっている。これにより、下部開口７の面積が大きくなり、外気導入の際の流入抵抗が小さくなる。側端部開口５、５および上下の開口６、７は、図１の場合と同様である。
【実施例】
【００２１】
図５の表１に、前述の実施例の図１におけるダブルスキンファサード構造の各スキン２、３に作用する風力係数の風洞実験結果を、同じ大きさでシングルスキン構造とした場合に生ずる風力係数に対する比率の分布図で示している。また同様に、図６の表２に、前述の実施例の図２におけるダブルスキンファサード構造の各スキン２、３に作用する風力係数の風洞実験結果を、シングルスキン構造とした場合に生ずる風力係数に対する比率の分布図で示している。
【００２２】
風洞実験は、境界層風洞（測定部２．５ｍ×２ｍ×２１ｍ）で行い、対象とした建物は、幅３０ｍ×奥行１５ｍの矩形平面を持つ高さ３０ｍの建物であり、実験には実物の１／１００の模型を用いた。ここで示す結果は、建物の広い面（幅３０ｍ×高さ３０ｍ）１面のみをダブルスキン（スキン間隔６０ｃｍ）にした場合である。
【００２３】
風洞実験では、建築物１に対して様々な方向からの風荷重に対して各部の圧力を測定したが、ここで示した表１、表２では、全風向におけるピーク風力係数を示している。左図は正圧時の風力係数比、右図は負圧時の風力係数比である。
【００２４】
実験は、上部開口６の位置、側端部開口５の有無、外部スキン２の開口の有無をそれぞれ変化させ、各部の圧力測定を行うことにより風力係数を求めた。シングルスキンの場合、当然、ガラススキンは設計風圧を負担する必要があるが、ダブルスキンの外部スキン２、内部スキン３に作用する風力係数は、外部スキン２、内部スキン３ともにシングルスキンに対してほぼ１．０未満であり、風圧力の軽減が可能である。
【００２５】
表１によれば、正風圧時において、外部スキン２の中央部に略円形の低風力係数（０．０〜０．５）部分Ａが存在し、内部スキン３においては全面の風力係数が０．５〜１．０となっている。また、負風圧時において、外部スキン２は略全面の風力係数が０．５〜１．０となり、内部スキン３においては上部及び側部に低風力係数（０．０〜０．５）部分Ｂが存在し、下部、中央部、及び中央部の上方部の風力係数が０．５〜１．０となっている。
【００２６】
また、表２によれば、正風圧時において、内部スキン３の略中央部に略帯状の低風力係数（０．０〜０．５）部分Ｃが存在し、その部分以外の部分では風力係数が０．５〜１．０となっている。また、負風圧時において、外部スキン２は略全面の風力係数が０．５〜１．０となり、内部スキン３においては上部及び側部に低風力係数（０．０〜０．５）部分Ｄが存在し、下部、及び中央部の上方部の風力係数が０．５〜１．０となっている。
【００２７】
なお、表２の外部スキン２の正圧時において、外部スキン２の隅角部に風力係数（１．０〜１．５）がシングルスキンよりも大きくなる部分Ｅが若干生じる。これは、キャビティ４内の気流、または外気導入により生じるものであるが、キャビティ４の下面開口面積を大きくして導入空気の流入抵抗を小さくしたり（図４のダブルスキンファサード構造）、または開口部に網状のふさぎ材を設置して流速を低減したりすることにより、風力係数が大きくなる隅角部の面積を最小限に留めることが可能となる。特に、図２の構成では、下部開口７に防虫網のような細かい網状のふさぎ材（図示なし）を設置することにより、外部スキン２の下部に生じる風力係数の大きな部分を解消することができる。
【００２８】
次に、都市部に建設する３０ｍ程度の高さを有する建築物に、ダブルスキンファサードを設計する場合について説明する。この場合、設計風圧力は、２４００Ｎ／ｍ2 程度の大きさに設定する。
【００２９】
ガラスの板厚は、ガラスサイズ、支持方法によって異なるが、ここで設定する条件は、外部スキン２においては幅１６００ｍｍ×高さ４０００ｍｍ、内部スキン３においては幅１６００ｍｍ×３０００ｍｍの割り付けとし、それぞれサッシ構法による４辺単純支持構造とする。
【００３０】
この条件では、設計風圧力がそのまま作用した場合、すなわち、従来の設計思想であると、外部スキン２、内部スキン３共にフロート板ガラスを用いた場合、板厚１５ｍｍのガラスが強度上必要となる。これに対して、本発明によるダブルスキンファサード構造では、外部スキン２に加わる風圧力は表１等の如く大きく軽減されるので、強度上は板厚６ｍｍのガラス（フロート板ガラス）であっても適用可能となる。実際には、大きなガラスでは特に、たわみ、施工性が問題となるので、６ｍｍよりも若干量厚いガラス（例えば、板厚８ｍｍのガラス）を使用することが好ましい。
【００３１】
このように、本発明のダブルスキンファサード構造を適用すれば、風圧力を軽減できるので、従来では１５ｍｍの板厚を要していたガラスを８ｍｍまで薄くすることが可能となり、外部スキン２のガラスの板厚を従来のダブルスキン構造の場合やシングルスキン構造の場合より薄くできる。よって、経済性が向上する。
【産業上の利用可能性】
【００３２】
温熱性能に優れたダブルスキンファサードに対して、本発明による耐風圧設計技術を用いることにより、温熱性能を損なうことなく、安全かつ経済的なダブルスキンファサード構造を実現できる。
【図面の簡単な説明】
【００３３】
【図１】本発明のダブルスキンファサード構造の一実施例を示す斜視図
【図２】本発明のダブルスキンファサード構造の他の実施例を示す斜視図
【図３】本発明のダブルスキンファサード構造の他の実施例を示す斜視図
【図４】本発明のダブルスキンファサード構造の他の実施例を示す斜視図
【図５】シングルスキンに対する、図１のダブルスキンファサード構造の風力係数の比率を分布で示した説明図
【図６】シングルスキンに対する、図２のダブルスキンファサード構造の風力係数の比率を分布で示した説明図
【符号の説明】
【００３４】
１…建築物、２…外部スキン、３…内部スキン、４…キャビティ、５…側端部開口、６…上部開口、７…下部開口、８…キャットウォーク、９…ふさぎ材、１０…キャビティ突出部、１１…ダブルスキン部の下方部、１２…キャビティ側端部
【図１】
2005330762.tif 000003
【図２】
2005330762.tif 000004
【図３】
2005330762.tif 000005
【図４】
2005330762.tif 000006
【図５】
2005330762.tif 000007
【図６】
2005330762.tif 000008